(57)【特許請求の範囲】
【請求項１】
スリーブの下端部に円盤状のフランジ部が設けられたワイヤグリッパと、
略円筒状で上端部が所定幅内側に曲げられ、かつ下端部の内壁面にネジ溝が形成され、前記ワイヤグリッパを部分的に覆うボディと、
前記ワイヤグリッパの外側に嵌め込み、その下面が前記フランジ部に当接するとともに、上面が前記ボディの上端部と当接するように配置されたコイルスプリングと、
外壁面に前記ボディのネジ溝に螺合するネジ山を有し、かつ内壁面にもネジ溝を有し、前記ボディの下端部に装着される連結具と
を備えたことを特徴とするワイヤ張装具。
【請求項２】
前記コイルスプリング上面と前記ボディの上端部の間、又はコイルスプリング下面とワイヤグリッパのフランジ部との間、若しくはその両方にテフロンリングが配置されていることを特徴とする請求項１に記載のワイヤ張装具。
【発明の詳細な説明】
【０００１】
【発明の属する技術分野】
本発明は、陳列棚、額、ライトその他のインテリヤ用具などを陳列装備するためワイヤを張装するのに用いるワイヤ張装具に関するものである。
【０００２】
【従来の技術】
【０００３】
従来から、ワイヤを張装する場合に、ワイヤグリッパを有するワイヤ張装具が用いられることが多い。ワイヤグリッパ３０は、図３に示すように、内部にテーパ状の空洞を有する略円筒形のスリーブ３１を有しており、このスリーブ３１中にはグリップ機構３２が収納されている。該グリップ機構３２は、上部が円柱状で中央部は下側に開くテーパ状に形成されており、その内部には上下方向にワイヤＷを通す貫通孔３２ａが設けられている。また、テーパ状部には、左右横方向にも複数個の透孔３２ｂが設けられていて、これら透孔３２ｂにはボール３２ｃが収納されている。
【０００４】
また、グリップ機構３２の後部にはスプリング３３が当接配置されており、該スプリング３３の下端部はスリーブ３１内に嵌め込まれたスプリング止め３４によって支持されている。このスプリング３３によって、グリップ機構３２は、常時、スリーブ３１内を上方向に付勢されており、グリップ機構３２の外側テーパ状部がスリーブ３１内部のテーパ状部に接触した状態で停止している。このとき透孔３２ｂ内のボール３２ｃはスリーブ３１の内壁面に押圧されて透孔３２ｂの最も内側へ移動している。
【０００５】
グリッパ３０へのワイヤＷの装着は、ワイヤＷをグリップ機構３２の先端から挿入する。ワイヤＷの先端がボール３２ｃに当るが、そのままワイヤＷを押し込むと、グリップ機構３２はスプリング３３の付勢力に抗してスリーブ３１内を後退する。グリップ機構３２が後退すると、グリップ機構３２の外壁面とスリーブ３１の内壁面との間に隙間ができ、ボール３２ｃは透孔３２ｂ内を外側に移動する。このため、ワイヤＷの通る隙間ができ、ワイヤＷの先端はボール３２ｃを越えた位置まで進入することができる。
【０００６】
この状態で、ワイヤＷの押し込みを停止すると、グリップ機構３２はスプリング３３によってスリーブ３１内を上方に付勢されているため、ワイヤＷはスリーブ３１のテーパ内壁面に押圧されたボール３２ｃによって側面から挟持されることになる。ワイヤＷを引き出そうとすると、グリップ機構３２はさらに上方に移動しようとするので、ボール３２ｃがワイヤＷを挟持する力が強まり、確実にワイヤＷがグリップされる。なお、ワイヤＷを抜き取るときには、スリーブ３１を押さえてグリップ機構３２を後退させると、ボール３２ｃの挟持力が弱まり簡単に外すことができる。
【０００７】
このワイヤグリッパ３０を、ワイヤＷの張装具として使用する場合には、例えば図４（ａ）に示すように、ワイヤグリッパ３０の下端部に台座３５を取り付けておき、図４（ｂ）に示すように、壁、床、天井等に台座３５をネジ止めして、ワイヤグリッパ３０の先端からワイヤＷを挿入して引き留めさせるようにしている。
【０００８】
【発明が解決しようとする課題】
上記ようなワイヤ張装具の場合、取り付け場所を限定されてしまうという問題がある。例えば、アンカーを打ち込んで頑丈にしたいときとか、あるいは張装するワイヤを柱や壁に貫通させて使用したい場合などが生じたときには、他のワイヤ張装具を用いる必要があり、利用範囲が限定されていて不便である。
【０００９】
本発明は、利用範囲の広いワイヤ張装具の提供を、その目的としている。
【００１０】
【課題を解決するための手段】
上述課題を解決するために、本発明は、次のような手段を採用した。
請求項１に記載のワイヤ張装具は、スリーブの下端部に円盤状のフランジ部が設けられたワイヤグリッパと、略円筒状で上端部が所定幅内側に曲げられ、かつ下端部の内壁面にネジ溝が形成され、前記ワイヤグリッパを部分的に覆うボディと、前記ワイヤグリッパの外側に嵌め込み、その下面が前記フランジ部に当接するとともに、上面が前記ボディの上端部と当接するように配置されたコイルスプリングと、外壁面に前記ボディのネジ溝に螺合するネジ山を有し、かつ内壁面にもネジ溝を有し、前記ボディの下端部に装着される連結具とを備えたことを特徴としている。
【００１１】
このように構成されているので、先ず、ワイヤグリッパにコイルスプリングを嵌め込み、次にボディを被せてボディの下端部に連結具をねじ込み装着してワイヤ張装具を組み立てておく。ワイヤ張装具を使用する場合、連結具の内壁面に形成されたネジ溝に合わせたネジ山が外壁面に形成された座金を、予め、壁、床、天井等に取り付けておき、その座金に連結具をねじ込み固定する。ワイヤＷは、ワイヤグリッパの上端部から挿入して引き留めさせる。
この場合、座金としては、例えば、中心部に木ネジ用の貫通孔が形成されたものとか、あるいは円筒状で壁や柱に取り付けられたアンカーにねじ込んで使用するものなどが考えられる。
なお、壁等に取り付けられている座金に、最初、連結具を取り付けて、その後のワイヤグリッパを内蔵したボディを嵌め込むようにしてもよい。
【００１２】
請求項２に記載のワイヤ張装具は、請求項１に記載の発明において、コイルスプリング上面と前記ボディの上端部の間、又はコイルスプリング下面とワイヤグリッパのフランジ部との間、若しくはその両方にテフロンリングが配置されていることを特徴としている。
【００１３】
このように構成すると、ボディをワイヤグリッパに対して回転させても、あるいは逆にワイヤグリッパの方を回転させても、テフロンリングがスリップ作用を果たすので、コイルスプリングに捻れ等が発生しない。
【００１４】
【発明の実施の形態】
以下、本発明の実施の形態について、図面を参照して説明する。なお、従来の技術の項で説明した部材と同一あるいは相当するものには同一符号を付し説明は省略する。
【００１５】
図１は、本発明に係るワイヤ張装具１０の実施の形態を分解斜視図で示したものである。図において、符号３１はスリーブで、下端部に円盤状のフランジ部３１ａが形成されている。４０は、略円筒状で上端部４１が所定長さ内側に曲げられ、かつ下端部４２の内壁面にネジ溝４２が形成されたボディである。５０はテフロンリング、６０はコイルスプリングである。
【００１６】
７０は、連結具で、中心部に貫通孔７１が形成されており、該貫通孔にはネジ溝７１ａが設けられている。また、連結具７０の上端部の外壁面には前記ボディ４０のネジ溝４２に螺合するためのネジ山７２が設けられているとともに、中央部にはスパナをかませるための切り欠き溝７３が設けられている。また、前記貫通孔７１の径は、ボディ７０の下端部のところで若干大きくなっていて、図２（ｂ）に示す形状の座金８０を面一で嵌め込むことができるようになっている。
【００１７】
ワイヤ張装具１０の組立は、ワイヤグリッパ３０にコイルスプリング６０を嵌め込み、その上面にテフロンリング５０を載せ、次にボディ４０を被せてボディ４０の下端部に連結具７０をねじ込んで装着する。なお、テフロンリング５０は、コイルスプリング６０の下面とスリーブ３１のフランジ部３１ａとの間に装着してもよく、あるいは前記の場所と両方に装着してもよい。
【００１８】
ワイヤ張装具１０の実際の使用方法は、例えば図２（ａ）に示すように、連結具７０の内壁面に形成されたネジ溝７１ａに合わせたネジ山８１が外壁面に形成された円筒状の座金８０を、予め、壁、床、天井、柱等に取り付けておき、その座金８０に連結具７０を、スパナ等を用いてねじ込み固定する。この場合に、予め柱等に、内面に座金８０の外壁面のネジ山８１に螺合するネジ溝を有する円筒状のアンカー８２を貫通打ち込みしておけば、そのアンカー８２に座金８０を螺合させることができ、この座金８０にワイヤ張装具１０を取り付ければ、ワイヤＷはこの柱等を貫通して引き回すことができることになる。
【００１９】
また、例えば、図２（ｂ）に示すような、連結具７０の内壁面に形成されたネジ溝７１ａに合わせたネジ山９１が外壁面に形成され、中心部に木ネジ用の貫通孔９２が形成された座金９０等を用いることができる。この場合は、座金９０を壁や柱に木ネジ９３でネジ止めしておき、これにワイヤ張装具を取り付けるようにしてもよい。いずれにしても、このワイヤ張装具によれば、座金を変えることで、取り付け場所や取り付け目的に応じることができることになる。
【００２０】
【発明の効果】
以上説明したように、本発明に係るワイヤ張装具によれば、ワイヤグリッパの外側を覆うボディの下端部に、種々の座金に接続可能な連結具を装着したので、利用範囲を拡大することができる。
【図面の簡単な説明】
【図１】本発明に係るワイヤ張装具の実施の形態を示す分解斜視図である。
【図２】本発明に係るワイヤ張装具の使用例を示す図である。
【図３】ワイヤグリッパの機構を説明するための図である。
【図４】従来のワイヤ張装具の例を示す図で、（ａ）は斜視図、（ｂ）は使用状態を示す図である。
【符号の説明】
１０    ワイヤ張装具
３０    ワイヤグリッパ
３１    スリーブ
３１ａ  フランジ部
４０    ボディ
４１    ボディ上端部
４２    ボディ下端部
４３    ネジ溝
５０    テフロンリング
６０    コイルスプリング
７０    連結具
７１    貫通孔
７１ａ  ネジ溝
７３    切り欠き溝
８０    座金
９０    座金
９２    ネジ孔
９３    木ネジ
【図１】
0004043589.tif 000002
【図２】
0004043589.tif 000003
【図３】
0004043589.tif 000004
【図４】
0004043589.tif 000005